(57)【要約】  この装置は、フレーム（１７）によって支持され、プリフォームの首側（２１）の端に対する一種のトンネルを形成する数本のレールからなる。このトンネルはねじれており、首下ガイダンスの働きをする２本のレール（１２）および（１３）は、多種多様なプリフォームを運搬するため、前記トンネルの入口（４）と出口（５）の間において一定の距離を有する。これらのうちの一方のレール（１２）は直線であり、もう一方のレール（１３）は湾曲しており、このレール（１３）は、運搬するプリフォームのタイプに応じて形成された輪郭を有する。直線レール（１２）は、フレーム（１７）に固定された単純な平板の形態のガイド（１５）の縁に相当し、湾曲レール（１３）も、やはり前記フレーム（１７）に適当に固定された単純な平板の形態のガイド（１６）の縁に相当する。
2011518092.tif 000002
【特許請求の範囲】
【請求項１】
プリフォームの首側の端部がガイドされて拘束される一種のトンネルを形成する方式の、プリフォームタイプの製品のためのコンベヤ装置であって、
前記トンネルは、フレーム（１７）によって支持されるとともにそのトンネルの入口（４）から出口（５）まで延びるツイストを形作るように形成された数本のレールからなり、具体的には、
−前記プリフォームを拘束状態に保持するために、前記首側（２１）で前記プリフォームの端部と協働するレール（１４）と、
−前記プリフォームの首下でガイドを提供する２本のレール、すなわち直線レール（１２）および湾曲レール（１３）であって、該湾曲レール（１３）は、前記ツイストの前記入口（４）と前記出口（５）との間において一定の距離を確立できるようにする形状を有するように形成されている、直線レール（１２）および湾曲レール（１３）と、
を備えるコンベヤ装置。
【請求項２】
単純な平板の形態のガイド（１５）の縁に相当する直線レール（１２）を備えることを特徴とする、
請求項１に記載のツイスト形態のコンベヤ装置。
【請求項３】
単純な平板の形態のガイド（１６）の縁に相当する湾曲レール（１３）を備え、前記縁は、前記直線レール（１２）との距離が一定となるような曲率を有するように形成されていることを特徴とする、
請求項１に記載のツイストの形態のコンベヤ装置。
【請求項４】
前記直線レール（１２）を有し、前記ツイストの前記入口（４）と前記出口（５）の間に水平に配置されたガイド（１５）を備えることを特徴とする、
請求項２に記載のツイスト形態のコンベヤ装置。
【請求項５】
前記湾曲レール（１３）を有し、前記ツイストの前記入口（４）と前記出口（５）の間に垂直に配置されたガイド（１６）を備え、
その上流部分（１３４）は、前記直線レール（１２）の上流部分（１２４）と整列して位置しており、
その下流部分（１３５）は、前記直線レール（１２）の下流部分（１２５）と同じ高さに位置していることを特徴とする、
請求項３に記載のツイスト形態のコンベヤ装置。
【請求項６】
前記湾曲レール（１３）が、それを前記フレーム（１７）に固定する手段（１８）を上流部分（１３４）に有しており、
当該手段は、前記直線レール（１２）の前記入口（１２４）と整列するようにその位置を調整できるようにすることを特徴とする、
請求項５に記載のツイスト形態のコンベヤ装置。
【請求項７】
前記湾曲レール（１３）が、それを前記フレーム（１７）に固定する手段（１９）を下流部分（１３５）に有しており、
当該手段は、前記直線レール（１２）の前記出口（１２５）の水平線に対して、その横位置を調整できるようにすることを特徴とする、
請求項５に記載のツイスト形態のコンベヤ装置。
【請求項８】
湾曲レール（１３）であって、その形状が、運搬されるプリフォーム（２）の形態および寸法にしたがって、前記２本のレール（１２）、（１３）間の考慮すべき新しい距離に適合している湾曲レール（１３）を備えることを特徴とする、
請求項１に記載のツイスト形態のコンベヤ装置。
【請求項９】
前記プリフォーム（２）に損傷を与えることを防ぐために、前記レール（１２）および（１３）が半円形に形成されていることを特徴とする、
請求項１に記載のツイスト形態のコンベヤ装置。
【発明の詳細な説明】
【技術分野】
【０００１】
本発明は、例えば瓶やフラスコなどのプリフォームタイプの製品を運搬する装置に関する。
【背景技術】
【０００２】
文献ＷＯ２００７０２８６２７は、プリフォームを例えば水平位置から垂直位置に切り替えるために、その向きを一種のツイストによって変更できるようにするコンベヤ装置を示している。
【発明の概要】
【発明が解決しようとする課題】
【０００３】
この方式のツイストは、プロペラの形状に形成されたガイドによって実施される。この特殊なコンベヤ装置の入口と出口の間を流れるプリフォームの完全な流れを得るため、これらのガイドの縁間の間隔は一定でなければならない。
【０００４】
形態の複雑さのために、また、ガイドを事故なく行うために必要とされる極端な精度の複雑さのために、この方式のツイストの実施は比較的に繊細である。
【０００５】
さらに、この方式のツイストは、プリフォームのフォーマット変更に容易に対応するものではなく、コンベヤ装置全体を変更しなければならない。
【課題を解決するための手段】
【０００６】
本発明に基づくプリフォームタイプの製品のためのコンベヤ装置は、前記プリフォームの首側の端部がガイドされて拘束される一種のトンネルを形成しており、
そのトンネルは、フレームによって支持され、前記トンネルの入口から出口まで延びるツイストを生み出すために形成された数本のレールからなる。具体的には、
−プリフォームを拘束状態に保持するために、首側で、プリフォームの端部と協働する湾曲レールと、
−首下でガイドを提供する２本のレール（一方が直線レールであり、もう一方が湾曲レール）であって、前記ツイストの入口と出口の間において一定な距離を確立できるようにする形状を有するように形成された２本のレールである。
【０００７】
本発明の他の構成によれば、プリフォームのガイドレールは、フレームに固定された単純な平板の形態のガイドの縁に相当する。
【０００８】
やはり本発明によれば、湾曲レールは、やはりフレームに固定された単純な平板の形態のガイドの縁に相当し、その縁は、直線レールの縁との距離が一定になるような曲率を有するように形成される。
【０００９】
本発明の他の構成によれば、直線レールを有するガイドは、ツイストの入口と出口の間に水平に配置される。
【００１０】
やはり本発明によれば、湾曲レールを有するガイドは、ツイストの入口と出口の間に垂直に配置されており、
その上流部分は、直線レールの上流部分と整列して位置しており、
その下流部分は、前記直線レールの下流部分と同じ高さで、横方向に離れて位置している。
【００１１】
本発明の他の構成によれば、湾曲レールを備えるガイドは、その上流側部分に、ガイドをフレームに固定する手段を有しており、
その手段は、直線レールの入口と整列するようにその位置を調整できるようにする。
【００１２】
やはり本発明によれば、湾曲レールを備えるガイドはさらに、その下流側部分に、ガイドをフレームに固定する手段を備え、
その手段は、直線レールの出口の水平線に対してその横位置を調整できるようにする。
【００１３】
本発明の他の構成によれば、湾曲レールは、運搬されるプリフォームの形態および寸法にしたがって、考慮すべき新たな距離に適合する形状を有しており、直線レールは不変のままである。
【００１４】
やはり本発明によれば、プリフォームが同時前進およびティッピング（ｔｉｐｐｉｎｇ）運動で上方に滑動するときにプリフォームをガイドしてプリフォームの損傷を防ぐため、レールは半円形に形成される。
【００１５】
次に、以下の説明および例を示す添付図面を使用して、本発明をさらに詳細に説明する。
【図面の簡単な説明】
【００１６】
【図１】プリフォームをガイドすることができるツイストの形態の本発明に基づくコンベヤ装置の概略分解図である。
【図２】ツイストの上流端の概略図である。
【図３】ツイストの下流端の概略図である。
【発明を実施するための形態】
【００１７】
図１に示すように、このコンベヤ装置１は、プリフォーム２の長手方向運動と、長手方向変位軸３を軸としたプリフォーム２の回転運動とを結合させることを可能にする。
【００１８】
このタイプの装置１は、プリフォームの最初の向きに関わらず、プリフォーム２の向きを変更する必要があるときに、プリフォーム２の運搬ラインに導入される。
【００１９】
図１に示す例では、プリフォーム２は、装置１の入口４での水平位置から装置１の出口５での垂直位置に切り変わる。
【００２０】
これらのプリフォーム２は、一般に、一端が閉じた管状のボディ６を備えており、もう一端は例えばねじが切られた先端７を有し、その先端とボディ６との境にはカラー８がある。
【００２１】
プリフォーム２は、その運搬中、カラーの下に位置するボディ６の部分でのガイド（カラー８と協働したガイド）による利点を享受し、このガイドは一般に首下ガイドと呼ばれる。
【００２２】
完全かつ効果的であるために、このガイドは、一方では、この首下ガイドを実行する２本のレール１２、１３を使用して実施され、他方では、場合に応じて、図２および図３に示す相補レール１４を使用して実施される。このレール１４は、後に詳細に説明するが、入口４と終端５との間に延びており、また、レール１２、１３と一緒になって、プリフォーム２の開端部を拘束する一種のトンネルを形作るように形成されている。
【００２３】
本発明に基づくこのコンベヤ装置１は、入口４と出口５の間で、一方に直線レール１２を備えるとともに、他方に湾曲レール１３を備えるという特徴を有している。
【００２４】
この湾曲レール１３は、直線レール１２に対する曲率および位置を有しており、それにより、プリフォーム２のガイドを実施するのに適した距離Ｄがこれらの２本のレール間に確立可能となり、その距離Ｄは、プリフォーム２のガイド経路の全長に沿って一定である。
【００２５】
湾曲レール１３の入口１３４は、直線レール１２の入口１２４と整列するように配置されている。
【００２６】
さらに、湾曲レール１３の出口１３５は、直線レール１２の出口１２５と同じ高さで、横方向すなわち横断方向に離れて配置されている。
【００２７】
これらの各図に詳細に示した実施形態によれば、レール１２および１３は、符号１５および１６で示された、単純な平形態（フラット形態）である２つのガイドのそれぞれの縁に相当する。
【００２８】
直線レール１２は、実際には、水平に配置されたガイド１５の縁の１つである。レール１３も垂直に配置されたガイド１６の縁であるが、この縁は、これらの２本のレール間の一定の距離Ｄの確立を可能にするように適当に形成されており、その距離Ｄは、カラー８の下における、プリフォーム２のボディ６の直径のところで実質的により大きい。
【００２９】
レール１２および１３の縁は、フォーミング工具を使用して半円形に形成されている。プリフォーム２はレール１２、１３に沿ってガイドされ、これらの半円形の縁上でティッピング（tipping）することによって、損傷の危険なしに滑動する。
【００３０】
ガイド１５は、適当な手段によってコンベヤ装置１のフレーム１７（図２、図３）に取り付けられており、このガイド１５の位置は不変とすることができる。ガイド１５は、実際、全てのタイプのプリフォーム２に対するガイドとして使用できる。
【００３１】
他方、ガイド１６もフレーム１７に取り付けられているが、このガイド１６の位置は、プリフォーム２のタイプ、具体的にはプリフォーム２のボディ６の直径に応じて変更可能である。このガイド１６は、その上流部分に固定手段１８（レール１２の入口１２４と整列するようにその位置を調整することを、フレーム１７と協働して可能にする固定手段１８）を備えている。同様に、ガイド１６は、その下流部分に、レール１２の出口１２５の水平線に関してガイド１６の横方向の距離を調整できるようにする固定手段１９を備えている。
【００３２】
レール１４もまた、アーム２０によって、コンベヤ装置１のフレーム１７に取り付けられており、このアーム２０の長さおよび形状は、前記装置上のそれらの位置に応じて適切である。このレール１４は、残り２本のレール１２、１３と一緒になって、プリフォーム２の端部をガイドし拘束する一種のトンネルを形作るように形成される。
【００３３】
アーム２０は、調整可能および／または変形可能であってもよく、これは、例えばレール１４の位置をプリフォーム２の寸法に容易に適合させるためであり、および、それ（レール１４）を首２１のほぼ中央部に配置するためである。
【図１】
2011518092.tif 000003
【図２】
2011518092.tif 000004
【図３】
2011518092.tif 000005
【国際調査報告】
2011518092.tif 000006
2011518092.tif 000007
2011518092.tif 000008
2011518092.tif 000009